(57)【要約】【課題】発光素子の熱を発散しやすく、反射板の変形も抑制できる照明器具を提供する。【解決手段】この照明器具１０は、本体２０と回路基板４０と発光素子４５と反射板５０と押えシート６０とカバー部材７０とを備え、反射板５０は、気泡含有樹脂シートからなり、各発光素子４５に対応して形成された凹部５１と、該凹部５１の底部に形成されて対応する発光素子４５を露出させる開口部５３とを有し、凹部５１の内周は、開口部５３の周縁から前面側に向けて広がるような傾斜面５５をなし、各凹部５１の周縁は、各凹部５１を囲むように枠状をなして連続する平坦面５７をなしており、押えシート６０は、反射板５０の凹部５１に対応する部分が開口していて、反射板５０の平端面に適合する形状をなしている。【選択図】図３
2019106370.tif 000002
【特許請求の範囲】
【請求項１】
金属板で形成された本体と、
前記本体上に設置された回路基板と、
前記回路基板上に所定の配列で実装された複数の発光素子と、
前記各発光素子を囲むように設置された反射板と、
前記回路基板、及び前記反射板を重ね合わせて、前記本体に固着する固着手段と、
前記本体との間に、前記回路基板、及び前記反射板を配置して、前記本体に被せられ、前記発光素子から照射される光を拡散させて透過するカバー部材とを備え、
前記反射板は、気泡含有樹脂シートからなり、前記各発光素子に対応して形成された凹部と、該凹部の底部に形成されて対応する発光素子を露出させる開口部とを有し、前記凹部の内周は、前記開口部の周縁から前面側に向けて広がるような傾斜面をなし、前記各凹部の周縁は、各凹部を囲むように枠状をなして連続する平坦面をなしていることを特徴とする照明装置。
【請求項２】
前記固着手段は、前記反射板と、前記回路基板とを貫通し、前記本体に設けられたネジ孔に螺着されるネジで構成される、請求項１記載の照明器具。
【請求項３】
前記反射板の前記ネジで締め付けられた部分が、前記回路基板側に凹んで前記回路基板の前面に当接している、請求項２記載の照明器具。
【請求項４】
前記反射板上に、前記反射板の前記凹部に対応する部分が開口していて、前記反射板の前記平端面に適合する形状をなす押えシートが配置され、
前記固着手段は、前記回路基板、前記反射板、及び前記押えシートを重ね合わせて、前記本体に固着している、請求項１記載の照明器具。
【請求項５】
前記固着手段は、前記押えシートと、前記反射板と、前記回路基板とを貫通し、前記本体に設けられたネジ孔に螺着されるネジで構成される、請求項４記載の照明器具。
【請求項６】
前記押えシートは、透明な樹脂シートからなる、請求項４又は５記載の照明器具。
【請求項７】
前記発光素子は、正方形又は長方形をなし、前記反射板の開口部は、前記発光素子の形状に適合する形状をなし、前記凹部の内周の、前記開口部に近接した部分は、稜線を有する角錐形状をなし、前記平坦面に近接する部分は、稜線が消えて、前記平坦面に対する傾斜角も緩やかになった、なだらかな曲面形状をなす、請求項１〜６のいずれか１項に記載の照明器具。
【請求項８】
前記発光素子は、発光色の異なる一対のものが並んで、前記反射板の前記各開口部から露出するように配置されている、請求項１〜７のいずれか１項に記載の照明器具。
【発明の詳細な説明】
【技術分野】
【０００１】
本発明は、光源としてＬＥＤ等の発光素子を用いた、照明器具に関する。
【背景技術】
【０００２】
近年、低消費電力で長寿命の、ＬＥＤ等の発光素子を、光源として用いた照明器具が、広く用いられるようになっている。
【０００３】
例えば、下記特許文献１には、本体と、複数の発光素子が実装された実装面を前面側に有する略サークル状の基板とを備えた、照明器具が記載されている。また、基板の前面側には、発光素子から出射される光を拡散するために、透光性のレンズ部材が配置されている。このレンズ部材は、アクリル樹脂等の透明合成樹脂からなり、発光素子の配置に沿って略サークル状に一体的に形成され、発光素子を含めて基板の全面を覆う形状となっている。
【０００４】
また、下記特許文献２には、点状光源と、点状光源の周囲に配置された光反射板と、光反射板に対向配置された透光性の光拡散表面板と、光の出射側に開口が形成され少なくとも点状光源および光反射板が内部に収納されるケースとを有する、ライトボックスが記載されている。前記光反射板は、逆四角錐台形状をなした収納凹部が複数設けられた形状をなしており、内部に微細な気泡を有する気泡含有樹脂シートを、プレス加工することで一体形成されている。また、光反射板の収納凹部内に、ＬＥＤ等の点状光源が配置されている。
【先行技術文献】
【特許文献】
【０００５】
【特許文献１】特許第５３２０５６３号公報
【特許文献２】特開２００８−２７０１４４号公報
【発明の概要】
【発明が解決しようとする課題】
【０００６】
しかし、上記特許文献１の照明器具では、光を拡散するための、レンズ部材が、発光素子を含めて基板の全面を覆う形状となっているので、発光素子の熱を逃がしにくく、発光素子の寿命が短くなりやすい。
【０００７】
また、上記特許文献２のライトボックスにおける光反射板では、収納凹部内に点状光源が配置されるため、熱を比較的逃がしやすい。しかし、光反射板は、気泡含有樹脂シートからなるため、熱によって変形したり浮き上がったりしやすいという不都合がある。
【０００８】
したがって、本発明の目的は、発光素子の熱を発散しやすく、反射板の変形も抑制することができる、照明器具を提供することにある。
【課題を解決するための手段】
【０００９】
上記目的を達成するため、本発明の照明器具は、金属板で形成された本体と、前記本体上に設置された回路基板と、前記回路基板上に所定の配列で実装された複数の発光素子と、前記各発光素子を囲むように設置された反射板と、前記回路基板、及び前記反射板を重ね合わせて、前記本体に固着する固着手段と、前記本体との間に、前記回路基板、及び前記反射板を配置して、前記本体に被せられ、前記発光素子から照射される光を拡散させて透過するカバー部材とを備え、前記反射板は、気泡含有樹脂シートからなり、前記各発光素子に対応して形成された凹部と、該凹部の底部に形成されて対応する発光素子を露出させる開口部とを有し、前記凹部の内周は、前記開口部の周縁から前面側に向けて広がるような傾斜面をなし、前記各凹部の周縁は、各凹部を囲むように枠状をなして連続する平坦面をなしていることを特徴とする。
【００１０】
上記発明によれば、発光素子から発せられた光が、反射板の内周の傾斜面で反射されて、前方に向けて広がりながらカバー部材に効率よく照射される。また、反射板は、気泡含有シートからなるので、光を分散させて反射する能力に優れ、軽量であるという利点を有している。一方、気泡含有シートからなる反射板は、熱によって変形して浮き上がったりしやすいという問題があるが、反射板が固着手段によって押えられることにより、変形を抑制されて安定した形状を維持することができる。更に、ＬＥＤなどの発光素子は、発熱によって高温下にさらされると、発光効率が低下して寿命が短くなるという問題があるが、反射板の開口部から発光素子が露出しているので、熱が外部に発散されやすくなる。また、発光素子が実装された回路基板が、金属板で形成された本体上に設置されているので、回路基板の熱も本体を介して外部に発散されやすくなる。それによって、ＬＥＤなどの発光素子の発光効率の低下を抑制し、寿命を長くすることができる。更に、回路基板上に樹脂シートからなる反射板が載置され、その上をカバー部材で覆う形状をなすので、照明器具を全体として薄型化及び軽量化することができる。
【００１１】
本発明の照明器具においては、前記固着手段は、前記反射板と、前記回路基板とを貫通し、前記本体に設けられたネジ孔に螺着されるネジで構成されることが好ましい。上記態様によれば、反射板が、剛性の比較的低い気泡含有樹脂シートからなっていても、反射板と回路基板とをしっかりと本体に固定できる。また、回路基板と本体とを密着させて、回路基板の熱を、本体を通して外部に、より発散しやすくすることができる。
【００１２】
本発明の照明器具においては、前記反射板の前記ネジで締め付けられた部分が、前記回路基板側に凹んで前記回路基板の表面に当接していることが好ましい。上記態様によれば、反射板のネジで締め付けられた部分が、回路基板側に凹んで、回路基板の前面に当接しているので、反射板を回路基板にガタ付きなく固定することができる。また、反射板の前面からネジの頭部が出っ張ることを防いで、照明装置の薄型化を図ることができる。
【００１３】
本発明の照明器具においては、前記反射板上に、前記反射板の前記凹部に対応する部分が開口していて、前記反射板の前記平坦面に適合する形状をなす押えシートが配置され、前記固着手段は、前記回路基板、前記反射板、及び前記押えシートを重ね合わせて、前記本体に固着していることが好ましい。上記態様によれば、反射板の平坦面が押えシートによって押えられるので、反射板の変形を抑制して、その形状をより安定して維持することができる。
【００１４】
本発明の照明器具においては、前記固着手段は、前記押えシートと、前記反射板と、前記回路基板とを貫通し、前記本体に設けられたネジ孔に螺着されるネジで構成されることが好ましい。上記態様によれば、ネジによって、押えシートと、反射板と、回路基板とを共締めして本体に固着することができるので、作業性を向上させることができると共に、回路基板と本体とを密着させて、回路基板の熱を、本体を通して外部に、より発散しやすくすることができる。
【００１５】
本発明の照明器具においては、前記押えシートは、透明な樹脂シートからなることが好ましい。上記態様によれば、発光素子から照射された光の一部がカバー部材を透過せずに、カバー部材内面で反射されて反射板側に戻ってきたとき、反射板の平坦部を覆う押えシートが透明な樹脂シートからなるので、該樹脂シートを透過して再び反射板によって反射させてカバー部材側に戻すことができるので、照明効果を高めることができる。
【００１６】
本発明の照明器具においては、前記発光素子は、正方形又は長方形をなし、前記反射板の開口部は、前記発光素子の形状に適合する形状をなし、前記凹部の内周の、前記開口部に近接した部分は、稜線を有する角錐形状をなし、前記平坦面に近接する部分は、稜線が消えて、前記平坦面に対する傾斜角も緩やかになった、なだらかな曲面形状をなすことが好ましい。上記態様によれば、開口部に近接した稜線を有する角錐形状をなす部分で剛性を付与すると共に、稜線が消えて、平坦面に対する傾斜角も緩やかになった、なだらかな曲面形状をなす部分で、発光素子から発せられた光を反射させて、前方に向けて広がりながらカバー部材に効率よく照射させることができる。
【００１７】
本発明の照明器具においては、前記発光素子は、発光色の異なる一対のものが並んで、前記反射板の前記各開口部から露出するように配置されていることが好ましい。上記態様によれば、発光色の異なる発光素子を別々の開口部に配置した場合に比べて、反射板の開口部の数を少なくすることができ、それによって、開口部どうしの間隔を広げて、その広がった部分に固着手段を配置することができる。このため、固着手段によって反射板が凹んでも、開口部を有する凹部の形状に影響を与えないようにすることができる。
【発明の効果】
【００１８】
本発明によれば、反射板が固着手段によって押えられるので、反射板の変形が抑制されて安定した形状を維持することができると共に、反射板の開口部から発光素子が露出しているので、熱が外部に発散されやすくなり、かつ、発光素子が実装された回路基板が、金属板で形成された本体上に設置されているので、回路基板の熱も本体を介して外部に発散されやすくなり、発光素子の発光効率の低下を抑制して寿命を長くすることができる。
【図面の簡単な説明】
【００１９】
【図１】本発明に係る照明器具の一実施形態を示しており、その斜視図である。
【図２】同照明器具の分解斜視図である。
【図３】同照明器具の、要部分解斜視図である。
【図４】同照明器具において、カバー部材を取外した状態の斜視図である。
【図５】同照明器具において、天井部との取付部材を示す拡大斜視図である。
【図６】同照明器具を構成する反射板を示す、拡大斜視図である。
【図７】同照明器具の、要部拡大斜視図である。
【図８】同照明器具の、要部拡大断面図である。
【図９】本発明に係る照明器具の他の実施形態を示しており、その要部分解斜視図である。
【図１０】同照明器具の、要部拡大斜視図である。
【図１１】同照明器具の、要部拡大断面図である。
【発明を実施するための形態】
【００２０】
以下、図面を参照して、本発明に係る照明器具の一実施形態について説明する。
【００２１】
図２に示すように、この実施形態における照明器具１０は、環状をなした金属板で形成された本体２０を有している。なお、以下の説明においては、照明器具１０の、図示しない天井への取付け面側を背面（裏面ともいう）とし、その反対側、すなわち室内側に向く面を前面（表面ともいう）として説明する。
【００２２】
図２に示すように、本体２０の外周縁部は前面側に湾曲しており、その内周側底面には、周方向複数箇所に係止部材２１が取付けられている。また、図５に示すように、本体２０の内周縁部は、前面側に湾曲しており、その開口部内周は、アダプター３０が係合する取付部２２をなしている。更に図８に示すように、本体２０の所定箇所には、ネジ６７をネジ止めするための、ネジ孔２３が複数形成されている。
【００２３】
また、図３や図５に示すように、本体２０の取付部２２の外周には、前面側が閉塞された二重筒状をなす、点灯装置カバー２４が配置されている。特に図５に示すように、この点灯装置カバー２４内には、発光素子４５（図３，８参照）の点灯（発光）に、必要な回路部品からなる点灯装置２５が収容されている。更に点灯装置２５には、常夜灯２６や、点灯状態を確認するためのランプ２７，２８が接続されている。また、点灯装置カバー２４の前面には、複数の係合溝２４ａが形成されている。
【００２４】
図５に示すように、前記アダプター３０は、図示しない天井に装着される配線器具である、引掛けシーリングボディ３３に周知の態様で接続される。このアダプター３０の外周の、対向する２箇所からは、テーパ面３１ａを有する係合爪３１が突出しており、各係合爪３１は、その突出方向に付勢されている。そして、取付部２２に対して、アダプター３０が背面側から挿入されると、テーパ面３１ａを介して係合爪３１が引き込んだ後、取付部２２に係合するようになっている（図３及び図４）。なお、アダプター３０には、照明器具１０を引掛けシーリングボディ３３から取り外す際に、各係合爪３１を引き込ませて、係合を解除する解除ボタン３５が設けられている（図５参照）。また、図５に示すように、アダプター３０は、コード３７の先端に設けられたコネクタ３７ａを介して、前記点灯装置２５に接続されている。
【００２５】
図３や図８に示すように、本体２０上には、回路基板４０が設置されるようになっている。この実施形態の回路基板４０は、扇形状をなした４枚のものから構成されている。そして、これらの４枚の回路基板４０が周方向に連結されて、点灯装置カバー２４の外周を囲むように環状をなして、本体２０の前面側に設置されるようになっている。また、４枚の回路基板４０には、それぞれコネクタ４１が設けられている（図３参照）。そして、周方向に隣接した回路基板４０，４０のコネクタ４１，４１どうしが、図示しない端子を介して互いに連結されることで、４枚の回路基板４０が電気的に一体的に接続されるようになっている。
【００２６】
また、回路基板４０上には、所定の配列で複数の発光素子４５が実装されている。この実施形態の場合、図３に示すように、前記回路基板４０上に、同心円状をなすと共に、半径方向に７列で、複数の発光素子４５が配置されており、周方向に並ぶ同じ列の発光素子４５は、おおむね等間隔で配置されている。各発光素子４５は長方形状をなしている。また、回路基板４０の半径方向の所定列に配置された発光素子４５と、半径方向に隣接する列に配置された発光素子４５とは、千鳥状をなすように位置ずれしている。
【００２７】
更に、この実施形態における発光素子４５は、発光色が異なる２種類のＬＥＤで構成されており、異なる発光色のものが、回路基板４０の周方向に交互に配置されている。また、図３や図８に示すように、各回路基板４０には、本体２０に形成されたネジ孔２３に対応する位置に、複数のネジ貫通孔４３が形成されている。なお、発光素子４５は、例えば、正方形状としてもよく、また、複数の発光素子４５の配列も上記態様に限定されるものではない。
【００２８】
更にこの照明器具１０は、各発光素子４５を囲むように、反射板５０が設置されるようになっている。この反射板５０は、例えば、ポリエステル等の熱可塑性樹脂の内部に、所定気泡径以下の微細な気泡を含有させた、気泡含有樹脂シートからなるものである。なお、反射板５０の内部に含有された気泡の、平均気泡径は５０μm以下であることが好ましい。
【００２９】
また、図３に示すように、この実施形態の反射板５０は、前記回路基板４０に適合するように、扇形状をなした４枚のものから構成されており、各反射板５０は、長方形状をなした発光素子４５に対応して、長方形状に形成された複数の凹部５１を有している。
【００３０】
図３及び図６に示すように、この実施形態では、回路基板４０に実装された複数の発光素子４５に対応して、反射板５０上に、同心円状をなすと共に、半径方向に７列で、複数の凹部５１が形成されており、周方向に並ぶ同じ列の凹部５１は、おおむね等間隔で配置されている。また、反射板５０の半径方向の所定列に配置された凹部５１と、半径方向に隣接する列に配置された凹部５１とは、千鳥状をなすように位置ずれしている。なお、図３及び図８に示すように、各反射板５０には、本体２０の複数のネジ孔２３や、回路基板４０の複数のネジ貫通孔４３に対応する位置に、複数のネジ貫通孔５８が形成されている。
【００３１】
また、図６に示すように、各凹部５１の底部には、対応する発光素子４５を露出させるための、開口部５３が形成されている。この実施形態における開口部５３は、長方形状をなした発光素子４５に適合して、長方形状をなしている。
【００３２】
更に各凹部５１の内周は、長方形状をなした開口部５３の各辺の周縁から、前面側に向けて次第に広がるような傾斜面５５をなしている。この実施形態では、開口部５３の４辺から広がる内周部分がそれぞれ傾斜面５５をなしており、凹部５１の内周は、全体として頭部を切断した四角錐のように凹んだ形状となっている（図６及び図８参照）。また、図６に示すように、各凹部５１の周縁（底部から離れた前面側の周縁）は、前面側が平坦面とされた四角枠状をなした枠状部によって囲まれており、これらの枠状部の、周方向及び半径方向に隣接するものどうしが互いに連結されて、各凹部５１を囲むように枠状をなして連続する平坦面５７をなしている。
【００３３】
更に図６に示すように、各凹部５１の内周の、開口部５３に近接した部分は、稜線Ｒを有する角錐形状をなしており、平坦面５７に近接する部分は、稜線が消えて、平坦面５７に対する傾斜角も緩やかになった、なだらかな曲面形状をなしている。また、図３に示すように、反射板５０の、回路基板４０のコネクタ４１に対応する位置には、コネクタ挿入穴５９が形成されており、コネクタ４１が前面側に露出するようになっている（図７参照）。なお、発光素子４５が正方形をなしている場合には、それに適合して、反射板５０の開口部５３も正方形をなすものとされる。
【００３４】
また、図３、図７、及び図８に示すように、この照明器具１０は、上記反射板５０上に配置されて、同反射板５０を押え込む、押えシート６０を有している。
【００３５】
この実施形態の押えシート６０は、例えば、ポリカーボネート、エポキシ樹脂等からなる透明な樹脂シートからなるものであって、回路基板４０や反射板５０に適合するように、扇形状をなした４枚のものから構成されている。
【００３６】
図３及び図７に示すように、各押えシート６０には、反射板５０の凹部５１に対応する部分が開口するように、長方形状をなした開口６１が複数形成されている。この実施形態では、反射板５０に設けられた複数の凹部５１に対応して、押えシート６０上に、同心円状をなすと共に、半径方向に７列で、複数の開口６１が形成されており、周方向に並ぶ同じ列の開口６１は、おおむね等間隔で配置されている。また、押えシート６０の半径方向の所定列に配置された開口６１と、半径方向に隣接する列に配置された開口６１とは、千鳥状をなすように位置ずれしている。
【００３７】
更に、各押えシート６０の、開口６１以外の部分が、反射板５０の平坦面５７に適合して、略格子状をなした押え板部６３となっている。そして、図８に示すように、この押え板部６３が、反射板５０の平坦面５７の前面側に配置されて、同平坦面５７に当接可能とされており、反射板５０が熱変形したときの浮き上がりを押え込む部分となっている。また、各反射板５０には、本体２０の複数のネジ孔２３や、回路基板４０の複数のネジ貫通孔４３、更に反射板５０の複数のネジ貫通孔５８に対応する位置に、複数のネジ貫通孔６５が形成されている。更に、図３に示すように、押えシート６０の、回路基板４０のコネクタ４１及び反射板５０のコネクタ挿入穴５９に対応する位置には、複数の押え板部６３が破断されて破断部６４が形成されており、コネクタ４１が前面側に露出するようになっている（図７参照）。
【００３８】
そして、回路基板４０、反射板５０、及び押えシート６０は、次のようにして本体２０に固着されるようになっている。
【００３９】
すなわち、図８に示すように、本体２０の前面側に回路基板４０を配置し、この回路基板４０の前面側に反射板５０を配置し、更に反射板５０の前面側に押えシート６０を配置して、これらを互いに重ね合わせると共に、ネジ６７を、押えシート６０のネジ貫通孔６５、反射板５０のネジ貫通孔５８、回路基板４０のネジ貫通孔４３にそれぞれ挿通させて、本体２０のネジ孔２３に螺着させる。その結果、本体２０と、回路基板４０と、反射板５０と、押えシート６０とが互いに密着した状態で、共締めされて固定されるようになっている。
【００４０】
すなわち、この実施形態においては、上記のように、押えシート６０と、反射板５０と、回路基板４０とを貫通し、本体２０に設けられたネジ孔２３に螺着される、上記「ネジ６７」が、回路基板４０、反射板５０、及び押えシート６０を重ね合わせて、本体２０に固着するための、本発明における「固着手段」をなしている。なお、固着手段は、ネジに限らず、接着剤や、両面接着テープなどを用いることもできる。
【００４１】
また、この照明器具１０は、本体２０との間に、回路基板４０、反射板５０、及び押えシート６０を配置して、本体２０に被せられ、発光素子４５から照射される光を拡散させて透過するカバー部材７０を備えている。
【００４２】
この実施形態におけるカバー部材７０は、前記本体２０と同様に、全体が環状をなしており、乳白色を呈する拡散性を備えた、透光性の樹脂板から形成されている。また、図１に示すように、カバー部材７０の外周縁部は、背面側に湾曲した形状をなしており、この外周縁部の内周の、周方向複数箇所には、本体２０に設けた複数の係止部材２１に係合する、複数の係止凸部７１が形成されている。したがって、カバー部材７０を本体２０に被せて、回転させることによって、カバー部材７０の複数の係止凸部７１が、本体２０の複数の係止部材２１にそれぞれ係合して、本体２０にカバー部材７０が装着されるようになっている。
【００４３】
また、図１に示すように、カバー部材７０の内周開口部には、点灯装置カバー２４の前面との間に、カバー部材７０の内周縁部を挟むように、金属板で形成された円板状の化粧カバー７５が装着されるようになっている。図２に示すように、この化粧カバー７５は、その背面側周縁に、３つの係合爪７６を有しており、これらの係合爪７６が点灯装置カバー２４の複数の係合溝２４ａにそれぞれ係合することで、カバー部材７０の内周開口部に装着されるようになっている。また、化粧カバー７５には、本体２０側に設けた常夜灯２６や、点灯状態を確認するためのランプ２７，２８を露出させるための孔７７，７８，７９が形成されている。
【００４４】
次に、上記構成からなる照明器具１０の作用効果について説明する。
【００４５】
すなわち、この照明器具１０においては、回路基板４０上に実装された複数の発光素子４５を囲むように反射板５０が設置されており、この反射板５０は、凹部５１の底部に設けられ、発光素子４５を露出させる開口部５３の内周が、開口部５３の周縁から前面側に広がる傾斜面５５をなしている。そのため、図示しないリモコン等を介して照明器具１０のスイッチをオンにすると、点灯装置２５により回路基板４０上の発光素子４５が発光して、図８に示すように、発光素子４５から発せられた光Ｌが、反射板５０の凹部５１内周の傾斜面５５によって反射されて、前方に向けて広がりながらカバー部材７０に向けて効率よく照射することができ、室内等を明るく照らすことができる。
【００４６】
また、反射板５０は、気泡含有シートからなるので、光を分散させて反射する能力に優れ、軽量であるという利点を有している。なお、気泡含有シートからなる反射板５０は、熱によって変形して浮き上がったりしやすいという問題がある。しかし、この照明器具１０においては、固着手段をなすネジ６７によって、回路基板４０、反射板５０、及び押えシート６０を重ね合わせて、本体２０に止め締めして固定した状態で、図８に示すように、反射板５０の平坦面５７の前面に、押えシート６０の押え板部６３が密接して押え込むので、反射板５０の変形を抑制して、安定した形状に維持することができる。
【００４７】
更に、ＬＥＤなどの発光素子４５は、発熱によって高温下にさらされると、発光効率が低下して寿命が短くなるという問題がある。しかし、この照明器具１０においては、図７や図８に示すように、反射板５０の複数の開口部５３から各発光素子４５が露出しているので、発光素子４５の熱が外部に発散されやすくなる。また、発光素子４５が実装された回路基板４０が、金属板で形成された本体２０上に設置されているので（図８参照）、回路基板４０の熱も、本体２０を介して外部に発散されやすくなる。これらの結果、ＬＥＤなどの発光素子４５の発光効率の低下を抑制して、その寿命を長くすることができる。
【００４８】
更に、この照明器具１０は、回路基板４０上に樹脂シートからなる反射板５０と、この反射板５０を押える押えシート６０とが載置され、その上をカバー部材７０で覆う形状をなしているので、照明器具１０全体として薄型化及び軽量化を図ることができる。
【００４９】
更に、この実施形態の照明器具１０においては、図８に示すように、回路基板４０、反射板５０、及び押えシート６０を重ね合わせて、本体２０に固着する固着手段は、押えシート６０と、反射板５０と、回路基板４０とを貫通し、本体２０に設けられたネジ孔２３に螺着される、ネジ６７で構成されている。そのため、このネジ６７によって、押えシート６０と、反射板５０と、回路基板４０とを共締めして、本体２０に固着することができるので、作業性を向上させることができると共に、回路基板４０と本体２０とを密着させて、回路基板４０の熱を、本体２０を通して外部に、より発散しやすくすることができる。
【００５０】
また、この実施形態の照明器具１０においては、発光素子４５は長方形をなしており、反射板５０の開口部５３は、発光素子４５の形状に適合する形状をなし、凹部５１の内周の、開口部５３に近接した部分は、稜線Ｒを有する角錐形状をなし、平坦面５７に近接する部分は、稜線が消えて、平坦面５７に対する傾斜角も緩やかになった、なだらかな曲面形状をなしている（図８参照）。そのため、発光素子４５から照射された光が、反射板５０の内周によって反射される光の角度を少しずつ変えて、反射光をより効果的に広げて前方に照射することができるので、カバー部材７０を透過して発せられる光Ｌを、より均一にすることができる。なお、発光素子４５が正方形をなし、開口部５３も正方形をなしている場合でも、同様の作用効果を得ることができる。
【００５１】
また、この実施形態の照明器具１０においては、押えシート６０は、透明な樹脂シートからなっている。そのため、発光素子４５から照射された光Ｌの一部が、カバー部材７０を透過せずに、カバー部材７０内面で反射されて反射板５０側に戻ってきたときに、押えシート６０である樹脂シートを透過して、再び反射板５０によって反射させて（図８の矢印Ｌ１参照）、カバー部材７０側に戻すことができるので、照明効果を高めることができる。
【００５２】
図９〜１１には、本発明に係る照明器具の、他の実施形態が示されている。なお、前記実施形態と実質的に同一部分には同符号を付してその説明を省略する。
【００５３】
この実施形態における照明器具１０Аは、前記実施形態と比較して、押えシートを備えていない構成となっている。すなわち、図９に示すように、この照明器具１０Аは、発光素子４６，４７が実装された回路基板４０Ａの前面側（表面側）に、反射板５０Ａが配置されており、該反射板５０Ａが、ネジ６７を介して回路基板４０Ａに直接締め付け固定された構造となっている。
【００５４】
図９に示すように、前記回路基板４０Ａの前面側には、発光色の異なる一対の発光素子４６，４７が、周方向に配置されると共に、半径方向に複数列配置されている。また、図１０に示すように、一対の発光素子４６，４７は、回路基板４０Ａの半径方向に沿って並列して配置されている。
【００５５】
一方、前記反射板５０Ａは、前記実施形態と同様に、扇形状をなした４枚のものから構成されている。各反射板５０Ａには、発光素子４６，４７を露出させるための、長方形状をなした開口部５３が複数形成されている。各開口部５３は、その長手方向が、反射板５０Ａの半径方向に沿って配置されている。また、各開口部５３は、回路基板４０Ａに実装された一対の発光素子４６，４７の配置パターンに適合する配置パターンとなるように、反射板５０Ａの周方向に沿って所定間隔で、及び半径方向に沿って複数列で形成されている。そのため、図１０に示すように、一対の発光素子４６，４７に対して各開口部５３を整合させた状態で、回路基板４０Ａの前面に回路基板４０Ａの前面側に、反射板５０Ａを重ね合わせて載置すると、各開口部５３から一対の発光素子４６，４７が露出するようになっている。
【００５６】
また、図１０や図１１に示すように、反射板５０Ａの平坦面５７の所定箇所には、回路基板４０Ａ側に向けて凹んだ形状をなした、ネジ配置凹部５４が複数形成されている。図１１に示すように、このネジ配置凹部５４の底部には、ネジ係止孔５４ａが形成されている。
【００５７】
そして、図１１に示すように、一対の発光素子４６，４７に対して各開口部５３を整合させた状態で、回路基板４０Ａの前面に反射板５０Ａを重ね合わせると、各開口部５３から一対の発光素子４６，４７が露出すると共に、回路基板４０のネジ配置凹部５４の背面が回路基板４０Ａの前面に当接した状態で載置される。この状態で、ネジ配置凹部５４にネジ６７を配置して、ネジ６７の軸部６７ａを、反射板５０Ａのネジ係止孔５４ａ、回路基板４０Ａのネジ貫通孔４３に挿通し、本体２０のネジ孔２３に螺着することで、ネジ係止孔５４ａの前面側周縁にネジ６７の頭部６７ｂが係止して、反射板５０Ａが回路基板４０Ａに対して締め付け固定されるようになっている。
【００５８】
すなわち、この実施形態においては、上記「ネジ６７」が、回路基板４０Ａ及び反射板５０Ａを重ね合わせて、本体２０に固着する、本発明における「固着手段」をなしている。また、この実施形態においては、上記の「ネジ配置凹部５４」が、本発明における「反射板のネジで締め付けられた部分」をなしている。
【００５９】
また、反射板５０Ａの、回路基板４０Ａに設けられたコネクタ４１に対応する位置には、コネクタ挿入穴５９が形成されており、ネジ６７を介して回路基板４０Ａに反射板５０Ａが取付けられた状態で、コネクタ４１が前面側に露出するようになっている（図１０及び図１１参照）。その結果、コネクタ４１どうしを、反射板５０の前面側で連結することができるので、組立作業性を向上させることができる。
【００６０】
そして、この実施形態における照明器具１０Ａにおいては、上述したように、反射板５０Ａは、固着手段をなすネジ６７を介して、回路基板４０Ａに直接締め付け固定することができる。そのため、反射板５０Ａが、剛性の比較的低い気泡含有樹脂シートからなっていても、反射板５０Ａと回路基板４０Ａとを、しっかりと本体２０に固定することができる（図１１参照）。
【００６１】
また、図１１に示すように、反射板５０Ａの回路基板４０Ａ側に凹んだ部分であるネジ配置凹部５４が、回路基板４０Ａの前面に当接して、、ネジ６７で締め付けられているので、反射板５０Ａを回路基板４０Ａにガタ付きなくしっかりと固定することができる。また、反射板５０Ａの前面からネジ６７の頭部が出っ張ることを防いで、照明装置の薄型化を図ることができる。
【００６２】
また、この照明器具１０Ａにおいては、図１０や図１１に示すように、発光素子４６，４７は、発光色の異なる一対のものが並んで、反射板５０Ａの各開口部５３から露出するように配置されている。そのため、反射板５０Ａの開口部５３の数を少なくして、開口部５３の間隔を広げることができ、その広がった部分を利用して、固着手段（ここではネジ６７）を配置しやすくすることができる。また、固着手段によって反射板５０Ａが凹んでも、開口部５３を有する凹部（ここではネジ配置凹部５４）の形状に影響を与えないようにすることができる。
【００６３】
なお、本発明は、上述した実施形態に限定されるものではなく、本発明の要旨の範囲内で、各種の変形実施形態が可能であり、そのような実施形態も本発明の範囲に含まれる。
【符号の説明】
【００６４】
１０，１０Ａ  照明器具
２０  本体
２１  係止部材
２２  取付部
２３  ネジ孔
２４  点灯装置カバー
２４ａ  係合溝
２５  点灯装置
２６  常夜灯
２７，２８    ランプ
３０  アダプター
３１  係合爪
３１ａ テーパ面
３３  引掛けシーリングボディ
３５  解除ボタン
３７  コード
３７ａ  コネクタ
４０，４０Ａ  回路基板
４１  コネクタ
４２  ケーブル
４３  ネジ貫通孔
４５，４６，４７  発光素子
５０，５０Ａ  反射板
５１  凹部
５３  開口部
５４  ネジ配置凹部
５４ａ  ネジ係止孔
５５  傾斜面
５７  平坦面
５８  ネジ貫通孔
５９  コネクタ挿入穴
６０  押えシート
６１  開口
６３  押え板部
６４  破断部
６５  ネジ貫通孔
６７  ネジ
６７ａ  軸部
６７ｂ  頭部
７０  カバー部材
７１  係止凸部
７５  化粧カバー
７６  係合爪
７７，７８，７９  孔
Ｒ  稜線
【図１】
2019106370.tif 000003
【図２】
2019106370.tif 000004
【図３】
2019106370.tif 000005
【図４】
2019106370.tif 000006
【図５】
2019106370.tif 000007
【図６】
2019106370.tif 000008
【図７】
2019106370.tif 000009
【図８】
2019106370.tif 000010
【図９】
2019106370.tif 000011
【図１０】
2019106370.tif 000012
【図１１】
2019106370.tif 000013